(57)【要約】【課題】簡単な操作で大容量のファイル転送が可能な非接触通信装置と非接触通信端末において、ファイル格納領域が少なくかつ内部に蓄積ファイルが存在する非接触通信端末に対して、非接触通信装置から新たな実行ファイルを転送する。【解決手段】非接触通信装置と非接触通信端末における通信で、非接触通信装置から非接触通信端末に実行ファイルを移す場合は、実行ファイルのファイルサイズを送信し、非接触通信端末のファイル空き容量を確認し、蓄積ファイルを非接触通信装置に移した後、実行ファイルを非接触通信端末に移し、非接触通信装置から非接触通信端末に蓄積ファイルを戻す場合は、非接触通信端末に移した実行ファイルを削除した後、非接触通信装置から非接触通信端末に蓄積ファイルを戻す非接触通信システムおよび、非接触通信装置、非接触通信端末。【選択図】図１
2012185531.tif 000002
【特許請求の範囲】
【請求項１】
第１アンテナと、ファイルデータを蓄積する通信装置メモリと、を備える非接触通信装置と、
前記第１アンテナと非接触により通信を行う第２アンテナと、ファイルデータを蓄積する端末メモリと、を備える非接触通信端末と、
を具備する非接触通信システムであって、
前記非接触通信装置から前記非接触通信端末に実行ファイルを転送する場合は、
前記非接触通信装置から前記非接触通信端末に送信する実行ファイルのファイルサイズを事前に送信し、
前記非接触通信端末が前記ファイルサイズに基づいて、前記端末メモリの空き容量に応じ、前記端末メモリ内の蓄積ファイルを前記非接触通信装置の前記通信装置メモリに移し、
前記非接触通信装置は前記実行ファイルを前記非接触通信端末に送信し、
前記非接触通信端末は前記実行ファイルを受信して前記端末メモリに蓄積し、
前記非接触通信装置から前記非接触通信端末に蓄積ファイルを戻す場合は、
前記非接触通信装置から前記非接触通信端末に実行ファイルの削除コマンドを送信し、
前記非接触通信端末は前記端末メモリ内の前記実行ファイルを削除してファイル削除完了通知を送信し、
前記非接触通信装置は前記ファイル削除完了通知を受信後、前記通信装置メモリ内の前記蓄積ファイルを前記非接触通信端末の前記端末メモリに戻す非接触通信システム。
【請求項２】
請求項１に記載の非接触通信システムであって、
前記非接触通信端末は表示部を備え、
前記非接触通信端末の表示部は、前記蓄積ファイルが前記非接触通信装置に移されていることを表示する非接触通信システム。
【請求項３】
請求項１に記載の非接触通信システムであって、
前記非接触通信端末は表示部を備え、
前記非接触通信端末の表示部は、前記実行ファイルが前記非接触通信装置から移され、前記端末メモリに格納されていることを表示する非接触通信システム。
【請求項４】
請求項１に記載の非接触通信システムであって、
前記非接触通信装置は表示部を備え、
前記非接触通信装置の表示部は、前記蓄積ファイルが前記非接触通信端末から移され、前記通信装置メモリに格納されていることを表示する非接触通信システム。
【請求項５】
請求項１に記載の非接触通信システムであって、
前記非接触通信装置は表示部を備え、
前記非接触通信装置の表示部は、前記実行ファイルが前記非接触通信端末に移されていることを表示する非接触通信システム。
【請求項６】
請求項１から５いずれか一項に記載の非接触通信システムにおける非接触通信端末。
【請求項７】
請求項１から５いずれか一項に記載の非接触通信システムにおける非接触通信装置。
【発明の詳細な説明】
【技術分野】
【０００１】
本発明は、非接触通信により電子ファイルの受け渡しを行う非接触通信システムおよび、非接触通信装置、非接触通信端末に関する。
【背景技術】
【０００２】
近年、通信相手と接触または密着する程度まで近接して通信を行う通信システムの開発要求が高まってきている。具体的には、電界または磁界の作用する、約１０ｃｍ以下の近接領域において、電界或いは磁界を利用して通信を行う通信システムである。このような通信システムには非接触ＩＣカードと、非接触ＩＣカード読取端末を使用し個人認証や、電子決済を行うシステムや、非接触通信装置と非接触通信端末を使用し画像データや、動画データなどの大容量の電子ファイルを配信するサービスや、非接触通信装置から非接触端末に電子データを配信する電子広告サービスなど多様な用途において利活用され、かざすだけという簡単な操作で通信できるサービスとして幅広く活用されている。このような非接触通信では、通信中に機器間の距離が変わることにより通信エラーが発生することを回避するため、非接触ＩＣカード読取端末が非接触ＩＣカードとのデータ通信処理後に非接触ＩＣカードが読取可能な状態にあるか判定し、読取可能であれば処理結果を非接触ＩＣカードに記憶させるようにし、非接触ＩＣカードと非接触ＩＣカード読取端末の情報通信において、安全な決済処理を行うことができる情報通信装置、方法、およびプログラムが考えられている（例えば、特許文献１）。
【先行技術文献】
【特許文献】
【０００３】
【特許文献１】特開２００８−１９７９５６号公報
【発明の概要】
【発明が解決しようとする課題】
【０００４】
しかしながら、このような非接触通信を使用した非接触通信システムでは、非接触通信装置から電子ファイルの転送を行う際に、電子ファイルを受け取る非接触通信端末のメモリ容量が不足している場合に、非接触通信端末内に格納される電子ファイルや電子データを削除するか、ＳＤメモリーカードなどの別の媒体に待避させるなど、新たな電子ファイルを受信できるメモリの領域確保をする必要があり、簡単な操作で電子データの転送が行えないという課題がある。
【０００５】
本発明の目的は、かざすだけという簡単な操作である非接触通信により電子データの転送を行う、非接触通信システムおよび、非接触通信装置、非接触通信端末を提供することである。
【課題を解決するための手段】
【０００６】
本発明の非接触通信システムは、第１アンテナと、ファイルデータを蓄積する通信装置メモリと、を備える非接触通信装置と、前記第１アンテナと非接触により通信を行う第２アンテナと、ファイルデータを蓄積する端末メモリと、を備える非接触通信端末と、を具備する非接触通信システムであって、前記非接触通信装置から前記非接触通信端末に動画などのコンテンツファイル（実行ファイル）を転送する場合は、前記非接触通信装置から前記非接触通信端末に送信する実行ファイルのファイルサイズを事前に送信し、前記非接触通信端末が前記ファイルサイズに基づいて、前記端末メモリの空き容量に応じ、前記端末メモリ内の個人所有で端末に蓄積する画像ファイルなどのデータファイル（蓄積ファイル）を前記非接触通信装置の前記通信装置メモリに移し、前記非接触通信装置は前記実行ファイルを前記非接触通信端末に送信し、前記非接触通信端末は前記実行ファイルを受信して前記端末メモリに蓄積し、前記非接触通信装置から前記非接触通信端末に蓄積ファイルを戻す場合は、前記非接触通信装置から前記非接触通信端末に実行ファイルの削除コマンドを送信し、前記非接触通信端末は前記端末メモリ内の前記実行ファイルを削除してファイル削除完了通知を送信し、前記非接触通信装置は前記ファイル削除完了通知を受信後、前記通信装置メモリする前記蓄積ファイルを前記非接触通信端末の前記端末メモリに戻す。
【０００７】
この構成により前記端末メモリに蓄積ファイルがあることでメモリ容量が不足している非接触通信端末が非接触通信装置から実行ファイルを受け取る場合に蓄積ファイルの削除や、ＳＤメモリーカードなどの別の媒体に移す複雑な操作をせずに簡単に実行ファイルを移すことができ、さらに非接触通信装置に非接触通信端末をかざすだけという簡単な操作で、蓄積ファイルを戻すことができる。
【０００８】
また、本発明の非接触通信システムは、前記蓄積ファイルが前記非接触通信装置に移されていることを前記非接触通信端末に表示できるようにした非接触通信システムである。
【０００９】
この構成により非接触通信端末を操作する者は蓄積ファイルが非接触通信装置に移されていることを視覚的に判断できファイルの状態を把握でき、安心して操作することができる。
【００１０】
また、本発明の非接触通信システムは、前記実行ファイルが前記非接触通信装置から移されていることを前記非接触通信端末に表示できるようにした非接触通信システムである。この構成により非接触通信端末を操作する者は実行ファイルが非接触通信装置から移されていることを視覚的に判断でき不正なファイルが非接触通信端末に書き込まれていないことを確認でき非接触通信端末を操作する者に安心感を与えることができる。
また、本発明の非接触通信システムは、前記蓄積ファイルが前記非接触通信端末から移されていることを前記非接触通信装置に表示できるようにした非接触通信システムである。
【００１１】
この構成により非接触通信装置を操作する者は蓄積ファイルがどの非接触通信端末から移されていることを視覚的に判断できファイルの状態を把握でき、安全にファイル管理を行うことができる。
また、本発明の非接触通信システムは、前記実行ファイルを前記非接触通信端末に移していることを前記非接触通信装置に表示できるようにした非接触通信システムである。
【００１２】
この構成により非接触通信装置を操作する者は実行ファイルがどの非接触通信端末に移しているかを視覚的に判断できファイルの状態を把握でき、安全にファイル管理を行うことができる。
【発明の効果】
【００１３】
本発明によれば、ファイル格納領域が不足している非接触通信端末を非接触通信装置にかざした場合、非接触通信端末内部の蓄積ファイルを非接触通信装置に一時待避をさせてから実行ファイルを転送するので実行ファイルを簡易な操作で非接触通信端末に転送できる。さらに実行ファイルが端末メモリに格納され、蓄積ファイルが非接触通信装置に転送された非接触通信端末を非接触通信装置にかざした場合非接触通信装置から非接触通信端末の実行ファイルの削除が完了した後で元のファイルを戻すので簡易な操作で確実に元の状態に戻すことができる。
【図面の簡単な説明】
【００１４】
【図１】本発明の実施の形態１に係る非接触通信システムの構成図
【図２】本発明の実施の形態２に係る非接触通信端末の構成図
【図３】本発明の実施の形態３に係る非接触通信装置の構成図
【図４】本発明の実施の形態１に係る動作フロー図
【図５】本発明の実施の形態１に係る動作フロー図
【発明を実施するための形態】
【００１５】
以下、本発明における実施の形態について、図面を参照しながら詳細に説明する。
【００１６】
（実施の形態１）
図１は本発明の実施の形態１に係る非接触通信システムの構成図である。
【００１７】
非接触通信装置１は、電磁誘導による非接触通信を行うための第１アンテナ２と非接触通信によるデータの書込み、読み取り、データの入出力処理を行う通信装置信号処理部３と、動画、静止画、プログラムデータ等の電子データ、電子ファイルを蓄積する通信装置メモリ４と、通信装置信号処理部３との間で通信装置メモリ４の電子データ、電子ファイルの入出力処理を行う通信装置ファイル処理部５からなる構成である。
【００１８】
非接触通信端末６は非接触通信装置１の第１アンテナ２と非接触通信を行う第２アンテナ７と非接触通信によるデータの書込み、読み取り、データの入出力処理を行う端末信号処理部８と、動画、静止画、プログラムデータ等の電子データ、電子ファイルを蓄積する端末メモリ９と、端末信号処理部８との間で端末メモリ９の電子データ、電子ファイルの入出力処理を行う端末ファイル処理部１０からなる構成である。
【００１９】
図４は非接触通信装置から非接触通信端末に実行ファイルを転送するまでの非接触通信システムの処理動作に係る動作フローである。
【００２０】
図５は非接触通信装置から非接触通信端末に蓄積ファイルを戻すまでの非接触通信システムの処理動作に係る動作フローである。
【００２１】
なお、ここで記載する非接触通信はＵＷＢ（Ｕｌｔｒａ  Ｗｉｄｅ  Ｂａｎｄ）を使用した高速大容量通信や、１３．５６  ＭＨｚの搬送波周波数の信号を使用した電磁誘導方式による通信であるＩＳＯ／ＩＥＣ１４４４３  ＴｙｐｅＡ、ＴｙｐｅＢ、ＦｅｌｉＣａ（ソニー株式会社の登録商標）、ＩＳＯ／ＩＥＣ１５６９３のタグ通信などの複数の方式の１つもしくは複数に適合したものである。
実施の形態１での非接触通信を行う際の一連の動作について図１、４、５を用いて説明する。
はじめに、非接触通信端末６に非接触通信装置１の実行ファイルを転送する際の処理について説明する。
【００２２】
非接触通信端末６を非接触通信装置１にかざす（Ｓ００１）ことで、第１アンテナ２と第２アンテナ７との間で非接触通信を開始する。非接触通信装置１、非接触通信端末６は通信によりお互いの識別情報（例えば、装置機器名称、機器固有情報）をお互い認識する。通信装置信号処理部３は非接触通信端末に送信する動画や静止画、プログラムファイル等の通信装置メモリ４に格納される実行ファイルのファイルデータサイズを通信装置ファイル処理部から送信する（Ｓ００２）。非接触通信端末６は受信したファイルデータサイズに基づき、端末メモリ９の空き容量を端末ファイル処理部１０が検出する（Ｓ００３）。端末ファイル処理部１０は端末メモリ９に実行ファイルが格納できる容量があるかを判断し（Ｓ００４）、空き容量があると判断した場合は端末信号処理部８から空き容量がある旨を非接触通信装置１に対して通知し（Ｓ００５）、空き容量が無いと判断した場合は端末メモリ９に格納される蓄積ファイルを端末ファイル処理部１０が抽出し、端末信号処理部８から非接触通信装置１に対してファイル転送する（Ｓ００６）。このとき、端末ファイル処理部１０は端末メモリ９から蓄積ファイルを実行ファイルのファイルデータサイズに応じて必要に応じて複数のファイル抽出を行う。また、抽出する蓄積ファイルに関しては、予め端末メモリ９に格納する際にファイルサイズ、優先度、日付等を記憶したファイル管理データを端末ファイル処理部１０が作成し、このファイル管理データに基づいて端末ファイル処理部１０は抽出する際の優先順位をつけ、１つもしくは複数の蓄積ファイルを転送することで、端末メモリ９の空き容量を確保する。つぎに、非接触通信装置１は蓄積ファイルが転送された場合は通信装置ファイル処理部５が通信装置メモリ４に格納する（Ｓ００７）。格納する際に、通信開始時に認識した識別情報、格納した日時等の付加情報を合わせてデータ格納し、非接触通信端末６からの蓄積データであることが分かるようにする。つぎに、非接触通信装置１は、実行ファイルを非接触通信端末６に送信する（Ｓ００８）。通信装置ファイル処理部５は、送信する際に、通信開始時に認識した識別情報、送信した日時等の付加情報を合わせてデータとして通信装置メモリ４に記録する。端末ファイル処理部１０は識別情報、受信した日時とともに受信した実行ファイルを端末メモリ９に格納する。非接触通信端末６は非接触通信装置１から離すことで実行ファイルの転送処理は完了する。
【００２３】
つぎに、実行ファイルの利用終了後に蓄積ファイルを非接触通信端末に戻す際の処理について説明する。
【００２４】
非接触通信端末６を非接触通信装置１にかざす（Ｓ０１０）ことで、第１アンテナ２と第２アンテナ７との間で非接触通信を開始する。非接触通信装置１、非接触通信端末６は通信によりお互いの識別情報（例えば、装置機器名称、機器固有情報）をお互い認識する。つぎに、非接触通信装置１は非接触通信端末６が実行ファイルを送信した端末であることを通信装置ファイル処理部５が通信により認識した識別情報に基づいて判断し、通信装置信号処理部３は非接触通信端末６に対して実行ファイルの削除指示を送信し通知する（Ｓ０１１）。つぎに、実行ファイルの削除指示を受信した非接触通信端末６は、端末ファイル処理部１０が端末メモリ９に対して実行ファイルが削除完了しているか確認する（Ｓ０１２）。実行ファイルが端末メモリ９に格納されていて削除可能な場合、端末ファイル処理部１０は端末メモリ９の実行ファイルを削除する。さらに、事前にファイルが削除されている場合を含め、端末ファイル処理部１０は削除完了の旨を端末信号処理部８から非接触通信装置１にファイル削除完了通知を送信する（Ｓ０１３）。非接触通信装置１は、ファイル削除完了通知を受信し、通信装置ファイル処理部５は通信装置メモリ４に格納してある蓄積ファイルを非接触通信端末に戻す（Ｓ０１４）。非接触通信端末６は蓄積ファイルを端末メモリ９に戻し、処理を終了する。また、端末ファイル処理部１０は、非接触通信端末６において、実行ファイルの利用が終了していない、継続して再度利用する等の場合は削除できない旨を端末信号処理部８から非接触通信装置１に送信し通知し、処理を終了する。
【００２５】
このように、本実施の形態によれば、非接触通信端末６の端末メモリ９に実行ファイルが格納できる空き容量が不足している場合においても、かざすだけという非接触通信特有の簡単な操作だけで実行ファイルを非接触通信端末６に移すことができ、さらに、非接触通信端末６の蓄積ファイルも実行ファイルの利用終了後に、かざすだけという非接触通信特有の簡単な操作だけで戻すことができる。
【００２６】
（実施の形態２）
図２は本発明の実施の形態２に係る非接触通信システムにおける非接触通信端末の構成図である。
【００２７】
非接触通信端末１１は、端末ファイル処理部１０からの端末メモリ９への実行ファイルの格納、削除の状態、蓄積ファイルの格納、移動の状態を表示する表示部１２を追加した構成である。
【００２８】
このように、本実施の形態によれば、非接触通信端末１１を操作する操作者が、端末メモリ９に格納される実行ファイルが、いかなる非接触通信装置から転送されたファイルであるか、いつ転送されたか、いつまで削除すべきか、すでに削除されているかを視覚的に判断できるとともに、非接触通信端末１１の蓄積ファイルが、いかなる非接触通信装置に移されているか、いつ移されたか、すでに戻されたかを視覚的に判断することができる。
【００２９】
（実施の形態３）
図３は本発明の実施の形態３に係る非接触通信システムにおける非接触通信装置の構成図である。
【００３０】
非接触通信装置１３は、通信装置ファイル処理部５からの通信装置メモリ４への実行ファイルの格納、移動、削除、非接触通信端末６もしくは１１へのコピーの状態、蓄積ファイルの格納、削除の状態を表示する表示部１４を追加した構成である。
【００３１】
このように、本実施の形態によれば、非接触通信装置１３を操作する操作者が、通信装置メモリ４に格納される蓄積ファイルが、いかなる非接触通信端末から移されたファイルであるか、いつ移されたか、いつまで格納すべきか、すでに削除されているかを視覚的に判断できるとともに、非接触通信装置１３の実行ファイルが、いかなる非接触通信端末に移されたか、もしくはコピーしたか、すでに移動もしくは、コピーした非接触通信端末で削除されたかを視覚的に判断することができる。
【００３２】
なお、上記の実施の形態１、２、３において、上述した実施の形態に何ら限定されるものではなく、その要旨を逸脱しない範囲において種々の形態で実施し得るものである。
【産業上の利用可能性】
【００３３】
本発明にかかる非接触通信システムおよび、非接触通信装置、非接触通信端末は電子データの受け渡しを行う非接触通信を行うのに好適である。
【符号の説明】
【００３４】
１    非接触通信装置
２    第１アンテナ
３    通信装置信号処理部
４    通信装置メモリ
５    通信装置ファイル処理部
６    非接触通信端末
７    第２アンテナ
８    端末信号処理部
９    端末メモリ
１０    端末ファイル処理部
１１    非接触通信端末
１２    表示部
１３    非接触通信装置
１４    表示部
【図１】
2012185531.tif 000003
【図２】
2012185531.tif 000004
【図３】
2012185531.tif 000005
【図４】
2012185531.tif 000006
【図５】
2012185531.tif 000007